(57)【要約】【課題】外部環境条件に左右されずいつでも施工できると共に、外装材を取り付けるときに干渉したりしない木造軸組建築物の施工方法を提供すること。【解決手段】この木造軸組建築物の施工方法は、上階壁パネル用の受け金具４および下階壁パネル用の受け金具３が上下に設けられた一対の通し柱２，２を土台１上に間隔をおいて植立固定して、前記下階壁パネル用の受け金具３に前記下階壁パネル１１の構造部材（胴差１７）を受けさせ、前記上階壁パネル用の受け金具４に前記上階壁パネルの構造部材（桁２６）を受けさせることにより、前記下階壁パ１１ネル上に前記上階壁パネル１２を連設させる様にしている。【選択図】  図１
2004169382.tif 000002
【特許請求の範囲】
【請求項１】
下階壁パネル上に上階壁パネルを連設するようにした木造軸組建築物の施工方法であって、
上階壁パネル用の受け金具および下階壁パネル用の受け金具が上下に設けられた一対の通し柱を土台上に間隔をおいて植立固定して、前記下階壁パネル用の受け金具に前記下階壁パネルの構造部材を受けさせ、前記上階壁パネル用の受け金具に前記上階壁パネルの構造部材を受けさせることにより、前記下階壁パネル上に前記上階壁パネルを連設させることを特徴とする木造軸組建築物の施工方法。
【請求項２】
下階壁パネル上に上階壁パネルを連設するようにした木造軸組建築物の施工方法であって、
前記下階壁パネルの上端に開口する第１の取付穴に接合金具の下部を嵌着すると共に、前記上階壁パネルの下端に開口する第２の取付穴に前記接合金具の上部を嵌着することにより、前記下階壁パネル上に前記上階壁パネルを連設するようにしたことを特徴とする木造軸組建築物の施工方法。
【発明の詳細な説明】
【０００１】
【発明の属する技術分野】
この発明は、下階壁パネル上に上階壁パネルを連設するようにした木造軸組建築物の施工方法に関するものである。
【０００２】
【従来の技術】
従来の木造軸組建築物の施工方法としては、例えば木造軸組建築の構成部材をパネル化した壁パネルを複数用意して、この複数の壁パネルを上下に連設するように組み立てると共に、上下の壁パネルの突き合わせ端面同士を接着剤で固定したり、上下の壁パネルの突き合わせ端部同士を壁パネルの外面から打ち付ける板状の金物によって固定するようにした工法が知られている（特許文献１参照）。
【０００３】
【特許文献１】
特開平７−１２７１２９号公報
【０００４】
【発明が解決しようとする課題】
しかしながら、接着剤は雨天時や低温時に使用できない。また、板状の金物は、壁パネルの外面から突出しているので、更に外装材を取り付けるときに干渉するという問題があった。
【０００５】
そこで、この発明は、外部環境条件に左右されずいつでも施工できると共に、外装材を取り付けるときに干渉したりしない木造軸組建築物の施工方法を提供することを目的とするものである。
【０００６】
【課題を解決するための手段】
この目的を達成するため、請求項１の発明は、下階壁パネル上に上階壁パネルを連設するようにした木造軸組建築物の施工方法であって、上階壁パネル用の受け金具および下階壁パネル用の受け金具が上下に設けられた一対の通し柱を土台上に間隔をおいて植立固定して、前記下階壁パネル用の受け金具に前記下階壁パネルの構造部材を受けさせ、前記上階壁パネル用の受け金具に前記上階壁パネルの構造部材を受けさせることにより、前記下階壁パネル上に前記上階壁パネルを連設させる木造軸組建築物の施工方法としたことを特徴とする。
【０００７】
この構成によれば、外部環境条件に左右されずいつでも下階用壁パネルと上階用壁パネル同士を接合できると共に、この接合後に外装材を取り付けるときに、受け金具が外装材に干渉したりすることを防止できる。
【０００８】
また、請求項２の発明は、下階壁パネル上に上階壁パネルを連設するようにした木造軸組建築物の施工方法であって、前記下階壁パネルの上端に開口する第１の取付穴に接合金具の下部を嵌着すると共に、前記上階壁パネルの下端に開口する第２の取付穴に前記接合金具の上部を嵌着することにより、前記下階壁パネル上に前記上階壁パネルを連設するようにした木造軸組建築物の施工方法としたことを特徴とする。
【０００９】
この構成によれば、外部環境条件に左右されずいつでも下階用壁パネルと上階用壁パネル同士を接合できると共に、この接合後に外装材を取り付けるときに、接合金具が外装材に干渉したりすることを防止できる。
【００１０】
【発明の実施の形態１】
以下、この発明の実施の形態を図面に基づいて説明する。
【００１１】
図１，図２において、１は図示しない布基礎等の上に水平に配設される土台、２，２は土台１の両端部上に上方に向けて植立固定された通し柱である。
【００１２】
この通し柱２，２は、図２に示したように左右に間隔をおいて配設されている。また、通し柱２，２の対向面２ａ，２ａの上下方向の中間部には下階壁パネル用の受け金具３，３がそれぞれ取り付けられ、通し柱２，２の対向面２ａ，２ａの上端部には上階壁パネル用の受け金具４，４がそれぞれ取り付けられている（図３参照）。
【００１３】
受け金具３，４は同じ構造をしているので、受け金具３の構造について説明し、受け金具４の構成については受け金具３に付した符号を付して説明を省略する。
【００１４】
この受け金具３は、図４〜図６に示したように左右の側壁５，５と、側壁５，５の下端間を閉成している底壁６と、側壁５，５の後端間を閉成している後壁７を有する。この受け金３は、通し柱２の対向面２ａに形成した浅い凹部２ｂに後壁７側が嵌合されている。しかも、受け金具３は、後壁７及び通し柱２を貫通するボルト８，８にナット９，９をそれぞれ螺着して、ボルト８，８の頭部とナット９，９の間で後壁７を締め付けることにより、側壁５及び底壁６が通し柱２から突出した状態で通し柱２に固定されている。また、各側壁５の上部及び下部には取付孔１０，１０がそれぞれ形成されている。
【００１５】
更に、通し柱２，２の下部間には下階壁パネル１１が配設され、通し柱２，２の上部間には上階壁パネル１２が配設される。
【００１６】
この下階壁パネル１１は、軸組部材による面材取付枠１３と、面材取付枠１３の外面を覆う面材１３ａを有する。この面材取付枠１３は、土台１に沿って水平に延び且つ土台１上に支持された下枠１４と、下枠１４の両端部上に上方に向けて取り付けられた支柱１５，１５と、支柱１５，１５間に位置させた間柱１６，１６と、支柱１５，１５及び間柱１６，１６の上端部に取り付けられた胴差１７等の軸組部材を構造部材として有する。
【００１７】
この胴差１７の両端部には、図３，図５，図６に示したように上下及び端面に開放する切込溝（スリット）１８，１８が幅方向に間隔をおいて形成されている。この切込溝１８，１８の間隔は、受け金具３の側壁５，５が挿入可能な間隔に設定されている。
【００１８】
しかも、胴差１７の端部には、両側面に開口する取付孔１９，１９が上下に間隔をおいて形成されている。この取付孔１９，１９は切込溝１８，１８を垂直に貫通する方向に延びている。そして、切込溝１８，１８に受け金具３の側壁５，５を挿入することにより、胴差１７の端部が受け金具３の側壁５，５間に受けられている。この胴差１７の取付孔１９，１９と受け金具３の取付孔１０，１０が一致させられ、この取付孔１０，１９には支持ピン２０が圧入固定されている。これにより、胴差１７の端部が通し柱２の上下方向の中間部に固定されている。
【００１９】
上階壁パネル１２は、軸組部材による面材取付枠２１と、面材取付枠２１の外面を覆う面材２２を有する。この面材取付枠２１は、胴差１７に沿って水平に延び且つ胴差１７上に支持された下枠２３と、下枠２３の両端部に上方に向けて取り付けられた支柱２４，２４と、支柱２４，２４間に位置させた間柱２５，２５と、支柱２４，２４及び間柱２５，２５の上端部に取り付けられた桁２６等の軸組部材を構造部材として有する。
【００２０】
しかも、桁２６の両端部には胴差１７と同様な切込溝１８及び取付孔１９が形成されている。そして、受け金具４の側壁５，５を切込溝１８，１８に挿入して、桁２６の取付孔１９，１９と受け金具４の取付孔１０，１０を一致させ、この取付孔１０，１９に支持ピン２０を圧入固定している。これにより、桁２６の端部が通し柱２の上端部に固定されている。
【００２１】
次に、この様な構成の木造軸組建築物の施工法に付いて説明する。
【００２２】
先ず、土台１を図示しない布基礎の上に固定し、受け金具３，４が設けられた通し柱２，２を土台１の両端部上に取り付ける。この際、一方の通し柱２の受け金具３，４と他方の通し柱２の受け金具３，４とを対向させる。
【００２３】
この状態で、下階壁パネル１１の面材取付枠１３を通し柱２，２間に配設すると共に、胴差１７の両端部を左右の受け金具３，３の上方から受け金具３，３に向けて下方に降下させることにより、各受け金具３の側壁５，５を胴差１７の端部の切込溝１８，１８に挿入させる。この際、側壁５の取付孔１０と胴差１７の取付孔１９を一致させる。そして、取付孔１０，１９に支持ピン２０を圧入して、胴差１７の両端部を通し柱２，２の受け金具３，３に固定することにより、胴差１７の両端部が通し柱２，２の上下方向の中間部に固定される。
【００２４】
尚、下枠１４は図示しないボルト・ナット等の固定手段により土台１に固定されるが、下枠１４は他の手段土台１に固定しても良い。
【００２５】
この後、上階壁パネル１２の面材取付枠２１を通し柱２，２間に配設すると共に、桁２６の両端部を左右の受け金具４，４の上方から受け金具４，４に向けて下方に降下させることにより、各受け金具４の側壁５，５を桁２６の端部の切込溝１８，１８に挿入させる。この際、側壁５の取付孔１０と桁２６の取付孔１９を一致させる。そして、取付孔１０，１９に支持ピン２０を圧入して、桁２６の両端部を通し柱２，２の受け金具４，４に固定することにより、桁２６の両端部が通し柱２，２の上端部に固定される。
【００２６】
尚、下枠２３は図示しないボルト・ナット等の固定手段により胴差１７に固定されるが、下枠２３は他の固定手段により胴差１７に固定しても良い。
【００２７】
【発明の実施の形態２】
以上説明した実施例では、下階壁パネル１１上に上階壁パネル１２を位置決して連設するために、通し柱２，２に設けた受け金具３，４を用いた例を示したが、必ずしもこれに限定されるものではない。
【００２８】
例えば、図７，図８に示した接合部材であるホゾパイプ（接合金具）３０及び図８に示したドリフトピン３１を用いて、下階壁パネル１１上に上階壁パネル１２を連設するようにしても良い。尚、この発明の実施の形態では、下階壁パネル１１は、下枠１４を省略して、土台１に支柱１５及び間柱１６を取り付けている。また、上階壁パネル１２の下枠２３の両端に支柱２４，２４を固定している
また、予め面材取付枠１３の構造部材である胴差１７及び支柱１５に跨るパイプ取付穴３２が形成され、支柱１５にはパイプ取付穴（第１の取付穴）３２に直交するピン取付孔３が形成されている。しかも、ホゾパイプ３０の下部及び上部には中心線と直交するピン取付孔３４，３５が形成されている。
【００２９】
そして、パイプ取付穴３２にホゾパイプ３０の下部側が嵌着されている。このホゾパイプ３０のピン取付孔３４は支柱１５のピン取付孔３３に合わせられている。この状態で、ピン取付孔３３，３４にドリフトピン３１が圧入嵌合されて、ホゾパイプ３０の下部側が胴差１７及び支柱１５に固定されていると共に、ホゾパイプ３０の上部側が胴差１７から上方に突出させられている。
【００３０】
また、上階壁パネル１２の下枠２３の両端には支柱２４，２４が固定されている。しかも、この各支柱２４の下端部には、図８に示したように下方に開口するパイプ取付穴３６が形成されていると共に、パイプ取付穴（第２の取付穴）３６に直交するピン取付孔３７が形成されている。
【００３１】
この上階壁パネル１２は下階壁パネル１１上に配設されていると共に、ホゾパイプ３０の上部側が上階壁パネル１２の支柱２４に設けたピン取付孔３７に嵌合されている。しかも、支柱２４のピン取付孔３７とホゾパイプ３０のピン取付孔３５は一致させられ、このピン取付孔３７，３５にはドリフトピン３１が圧入嵌合させられている。
【００３２】
次に、この様な構成の木造軸組建築物の施工方法に付いて説明する。
【００３３】
先ず、パイプ取付穴３２にホゾパイプ３０の下部側を嵌着すると共に、ホゾパイプ３０の上部側が胴差１７から上方に突出させる。この際、ホゾパイプ３０のピン取付孔３４を支柱１５のピン取付孔３３に一致させる。この状態で、ピン取付孔３３，３４にドリフトピン３１を圧入嵌合して、ホゾパイプ３０の下部側を胴差１７及び支柱１５に固定させる。
【００３４】
このように予めホゾパイプ３０を取り付けた下階壁パネル１１を図示しない布基礎等の上に固定する。尚、下階壁パネル１１を図示しない布基礎等の上に固定した後、上述したホゾパイプ３０を下階壁パネル１１に取り付けても良い。
【００３５】
この後、ホゾパイプ３０の上部側が上階壁パネル１２の支柱２４に設けたピン取付孔３７に嵌合するように、上階壁パネル１２を図９に示したように上側から下方に降ろして下階壁パネル１１上に配設し、上階壁パネル１２の支柱２４及び下枠２３を図７，図８の如く胴差１７上に当接させる。
【００３６】
この状態では支柱２４のピン取付孔３７とホゾパイプ３０のピン取付孔３５は一致させられる。そして、このピン取付孔３７，３５にはドリフトピン３１を圧入嵌合させて、上階壁パネル１２の支柱２４を下階壁パネル１１の胴差１７及び支柱１５に固定することにより、上階壁パネル１２が下階壁パネル１１上に連設固定される。
【００３７】
以上説明したように、この発明の実施の形態の木造軸組建築物の施工方法は、上階壁パネル用の受け金具４および下階壁パネル用の受け金具３が上下に設けられた一対の通し柱２，２を土台１上に間隔をおいて植立固定して、前記下階壁パネル用の受け金具３に前記下階壁パネル１１の構造部材（胴差１７）を受けさせ、前記上階壁パネル用の受け金具４に前記上階壁パネルの構造部材（桁２６）を受けさせることにより、前記下階壁パ１１ネル上に前記上階壁パネル１２を連設させる様にしている。
【００３８】
この構成によれば、雨や気温（低温、高温）等の外部環境条件に左右されずいつでも下階用壁パネル１１と上階用壁パネル１２同士を接合できると共に、この接合後に外装材を取り付けるときに、受け金具３，４が外装材に干渉したりすることを防止できる。
【００３９】
また、この発明の実施の形態の木造軸組建築物の施工方法は、前記下階壁パネル１１の上端に開口する第１の取付穴（パイプ取付穴３２）に接合金具（ホゾパイプ３０）の下部を嵌着すると共に、前記上階壁パネル１２の下端に開口する第２の取付穴（パイプ取付穴３６）に前記接合金具（ホゾパイプ３０）の上部を嵌着することにより、前記下階壁パネル１１上に前記上階壁パネル１２を連設するようにしている。
【００４０】
この構成によれば、雨や気温（低温、高温）等の外部環境条件に左右されずいつでも下階用壁パネル１１と上階用壁パネル１２同士を接合できると共に、この接合後に外装材を取り付けるときに、接合金具（ホゾパイプ３０）が外装材に干渉したりすることを防止できる。
【００４１】
【発明の効果】
請求項１の発明の木造軸組建築物の施工方法によれば、外部環境条件に左右されずいつでも下階用壁パネルと上階用壁パネル同士を接合できると共に、この接合後に外装材を取り付けるときに、受け金具が外装材に干渉したりすることを防止できる。
【００４２】
また、請求項２の発明の木造軸組建築物の施工方法によれば、外部環境条件に左右されずいつでも下階用壁パネルと上階用壁パネル同士を接合できると共に、この接合後に外装材を取り付けるときに、接合金具が外装材に干渉したりすることを防止できる。
【図面の簡単な説明】
【図１】（ａ）はこの発明に係る木造軸組建築物の一部を示した壁パネルの外面図、（ｂ）は（ａ）の壁パネルの内面図である。
【図２】図１（ａ）の壁パネルの分解説明図である。
【図３】図１（ａ）のＡ１−Ａ１線に沿う断面図である。
【図４】（ａ）は図１の通し柱に取り付けた受け金具と壁パネルの構造部材との関係を示す要部拡大説明図、（ｂ）は（ａ）の平面図である。
【図５】図４の通し柱に取り付けた受け金具と壁パネルの構造部材との関係を示す要部分解斜視図である。
【図６】（ａ）は図４（ａ）の構造部材を受け金具から分離した状態の側面図、（ｂ）は図６（ａ）の平面図である。
【図７】この発明に係る木造軸組建築物の他の例を示した壁パネルの外面図である。
【図８】図７のＡ２−Ａ２線に沿う断面図である。
【図９】図７の壁パネルの分解説明図である。
【符号の説明】
２・・・通し柱
３，４・・・受け金具
１１・・・下階壁パネル
１２・・・上階壁パネル
１７・・・胴差（構造部材）
２６・・・桁（構造部材）
３０・・・ホゾパイプ（接合金具）
【図１】
2004169382.tif 000003
【図２】
2004169382.tif 000004
【図３】
2004169382.tif 000005
【図４】
2004169382.tif 000006
【図５】
2004169382.tif 000007
【図６】
2004169382.tif 000008
【図７】
2004169382.tif 000009
【図８】
2004169382.tif 000010
【図９】
2004169382.tif 000011